(57)【要約】      （修正有）【課題】支持部材に形成された位置決め部に連結部材に形成された切欠部を当接させることで容易に支持部材に対して連結位置を決めることができ、作業をスムーズに行うことができる太陽光パネルの取付金具を提供する。【解決手段】断面略逆凹型形状で天面を形成する天面部１１と、天面部の両端から垂下する一対の側面部１２と、側面部の一端から延設され、天面部と平行かつ両端が設置する折板屋根の山部分の傾斜面と略平行となるように傾斜している当接部１３とからなり、当接部を折板屋根の山部分に当接及び固定させ天面部に太陽光パネルを支持する支持部材を取り付ける太陽光パネルの取付金具であって、支持部材は、一端に切欠溝を有し、天面部には、支持部材に形成された切欠溝に嵌合して支持部材の取付位置を決める位置決め部１５が形成されていることを特徴とする。【選択図】図１
0003190458.tif 000002
【実用新案登録請求の範囲】
【請求項１】
折板屋根に設置して太陽光パネルを取り付ける取付金具において、
前記取付金具は、断面略逆凹型形状で天面を形成する天面部と、
該天面部の両端から垂下する一対の側面部と、
該側面部の一端から延設され、天面部と平行かつ、両端が設置する折板屋根の山部分の傾斜面と略平行となるように傾斜している当接部からなり、
前記天面部には、該天面部に設置する部材の位置を決めるための位置決め部材が設けられていることを特徴とする太陽光パネルの取付金具。
【請求項２】
前記位置決め部材は、前記天面部から起き上がるように形成されていることを特徴とする請求項１記載の太陽光パネルの取付金具。
【請求項３】
前記当接部の前記折板屋根の山部分と当接する面には、弾性体が設けられていることを特徴とする請求項１記載の太陽光パネルの取付具。
【考案の詳細な説明】
【技術分野】
【０００１】
本考案は、屋根材上に設置される太陽電池モジュールを固定するための太陽光パネルの取付装置に関し、特に、取り付けが容易であり、スムーズな作業を行うことができる太陽光パネルの取付装置に関する。
【背景技術】
【０００２】
近年普及している太陽光パネルは、太陽電池セルを複数枚直列並列して必要な電圧と電流を得られるようにしたパネル状の製品単体である。
そして、このような太陽光パネルを屋根に固定するための取付装置として、屋根板材に第１のボルトを介して取付可能な下部分割体と、太陽電池モジュールパネルと支持する取付部材に第２のボルトを介して取付可能な上部分割体を備えたものがある（特許文献１）。
【先行技術文献】
【特許文献】
【０００３】
【特許文献１】特開２０１２−１２７１１７号公報
【考案の概要】
【考案が解決しようとする課題】
【０００４】
しかしながら、太陽光パネルの設置には多数の取付装置が使用されるため、特許文献１に記載の取付装置の場合、部品点数が多いことから設置するのに時間を要し、作業効率の低下の原因となるという問題がある。
従って、本考案の目的は、このような問題を解決するために、取り付け作業が容易であり、作業をスムーズの行うことができる太陽光パネルの取付装置を提供することにある。
【課題を解決するための手段】
【０００５】
上記課題を解決するため、本考案の太陽光パネルの取付金具は、折板屋根に設置して太陽光パネルを取り付ける取付金具において、前記取付金具は、断面略逆凹型形状で天面を形成する天面部と、該天面部の両端から垂下する一対の側面部と、該側面部の一端から延設され、天面部と平行かつ、両端が設置する折板屋根の山部分の傾斜面と略平行となるように傾斜している当接部からなり、前記天面部には、該天面部に設置する部材の位置を決めるための位置決め部材が設けられていることを特徴とする。
【０００６】
また、本考案の太陽光パネルの取付金具は、前記位置決め部材は、前記天面部から起き上がるように形成されていることを特徴とする。
【０００７】
さらに、本考案の太陽光パネルの取付金具は、前記当接部の前記折板屋根の山部分と当接する面には、弾性体が設けられていることを特徴とする。
【考案の効果】
【０００８】
本考案は、以上のように構成することにより、支持部材に形成された位置決め部に連結部材に形成された切欠部を当接させることで容易に支持部材に対して連結位置を決めることができ、作業をスムーズに行うことができる。
【図面の簡単な説明】
【０００９】
【図１】太陽光パネルの取付金具の構成を示した斜視図である。
【図２】太陽光パネルの前方を支持する前方支持部材の構成を示した図である。
【図３】太陽光パネルの後方を支持する後方支持部材の構成を示した図である。
【図４】図４は、折板屋根に取付金具を設置した状態を示した図である。
【図５】図５（ａ）〜（ｃ）は、折板屋根に太陽光パネルを設置した状態を示した図である。
【考案を実施するための形態】
【００１０】
以下、図面を参照しつつ本考案に係る太陽光パネルの取付金具について説明する。
図１は、太陽光パネルの取付金具の構成を示した斜視図である。
図示するように、太陽光パネル２の取付金具１０は、断面略逆凹型に形成され、天面を形成する天面部１１と、天面部１１の両端から垂下する一対の側面部１２と、側面部１２の一端から天面部１１と平行するように延設し、両端が後述する折板屋根１の山部の傾斜面と略平行になるように傾斜している一対の当接部１３とから構成されている。
【００１１】
天面部１１の略中央には貫通孔１４が形成され、また貫通孔１４の近傍には、起き上がるように形成された突起状の位置決め部１５が形成されている。さらに、当接部１３の折板屋根１の山部と当接する側には、ゴムなどの弾性部材１６が張り付けられており、この弾性部材１６によって、折半屋根１との密着性を高めたり、設置する際に折半屋根１に傷付けたりすることを防止する。
【００１２】
次に、上記した取付金具１０に連結し、太陽光パネル２を支持する支持部材について説明する。
図２は、太陽光パネルの前方を支持する前方支持部材の構成を示した図であり、図３は、太陽光パネルの後方を支持する後方支持部材の構成を示した図である。
図２に示すように、前方支持部材２０は、平板を略Ｚ字状に折曲させた形状であって、取付金具１０と当接して接続する当接部２１と、当接部２１の一端から約９０度に折曲されて連設する折曲部２２と、この折曲部２２の一端に連設し、太陽光パネル２の前方部分を支持する支持部２３とから構成されている。
【００１３】
当接部２１及び支持部２３には、それぞれ貫通孔２１ａ，２３ａが設けられており、当接部２１に設けられた貫通孔２１ａの近傍には、切欠部２１ｂが設けられている。この切欠部２１ｂは、前方支持部材２０を取付金具１０に連結させる際に、取付金具１０の天面部１１に設けられた突起状の位置決め部１５に当接させることで当接位置を容易に決めることができるといったものである。
【００１４】
また、支持部２３に設けられた貫通孔２３ａの近傍にも位置決め部２３ｂが設けられている。この位置決め部２３ｂは、支持部２３に太陽光パネル２を載置するときに、支持部２３上での載置する位置を決めることができるといったものである。
【００１５】
一方、図３に示すように、後方支持部材３０は、長尺状の平板を略コの字状に形成したものであり、中間部３２の一端に取付金具１０に当接する当接部３１が連設され、中間部３２の他端に太陽光パネル２の後方を支持する支持部３３が連設され、当接部３１と支持部３３とが中間部３２に対して同一方向に９０度折曲された形状である。当接部３１及び支持部３３には、貫通孔３１ａ，３３ａが設けられており、当接部３１に設けられた貫通孔３１ａの近傍には、切欠部３１ｂが設けられている。この切欠部３１ｂは、上記した前方支持部材２０と同様に、取付金具１０の天面部１１に設けられた突起状の位置決め部１５に当接することができる。
【００１６】
次に、折板屋根に太陽光パネルを設置する手順について説明する。
図４は、折板屋根に取付金具を設置した状態を示した図であり、図５（ａ）〜（ｃ）は、折板屋根に太陽光パネルを設置した状態を示した図である。
図４に示すように、折板屋根１の山部分に予め山部分の裏側から第１のボルト４０が挿通されており、この第１のボルト４０に取付金具１０の天面部１１に設けられた貫通孔１４を挿通することで山部分に取付金具１０を設置することができる。
次に、図５（ａ）に示すように、取付金具１０の天面部１１に設けられた貫通孔１４から突出した第１のボルト４０に前方支持部材２０の当接部２１に設けられた貫通孔２１ａを挿通させる。この時に、前方支持部材２０の当接部２１に設けられた切欠部２１ｂを取付金具１０の天面部１１に設けられた位置決め部１５に当接させて当接する位置を決める。
そして、第１のボルト４０にワッシャー５０とナット６０を挿通及び螺合させ締結することで、取付金具１０の天面部１１に前方支持部材２０を固定することができる。
【００１７】
次に、図５（ｂ）に示すように、太陽光パネルの後方となる位置に設置されている取付金具１０に後方支持部材３０を固定する。
図示するように、後方支持部材３０の当接部３１に設けられた貫通孔３１ａを取付金具１０の貫通孔１４から突出した第１のボルト３０に挿通する。この時に、当接部３１に設けられた切欠部３１ｂを取付金具１０の天面部１１に設けられた位置決め部１５に当接させることで当接位置を決める。そして、ワッシャー５０及びナット６０を挿通及び螺合させ締結することで、取付金具１０の天面部１１に後方支持部材３０を固定することができる。
【００１８】
次に、取付金具１０に固定された前方支持部材２０と後方支持部材３０の支持部２３，３３に太陽光パネル２を載置する。このとき、前方支持部材２０の支持部２３に設けられている位置決め部２３ｂがあることで、太陽光パネル２の載置する位置を容易に決めることができる。
そして、第２のボルト７０が挿通された押圧部材７０を支持部２３，３３に太陽光パネル２を挟持するようにして設置し、第２のボルト８０を支持部２３，３３に設けられている貫通孔２３ａ，３３ａに挿通し、ワッシャー５０及びナット６０で締結することで太陽光パネル２の前方と後方とを押圧しつつ支持及び固定することができる（図５（ｃ））。
【００１９】
上記実施形態により、折板屋根１に太陽光パネル２を設置する際、折板屋根１に設置された支持部材１０に連結部材２０の連結位置を容易に決めることができる位置決め部１５を有することで、太陽光パネルの取付作業をスムーズに行うことができる。
【符号の説明】
【００２０】
１    折板屋根
２    太陽光パネル
１０    取付金具
１１    天面部
１２    側面部
１３    当接部
１４    貫通孔
１５、２３ａ、３３ｂ    位置決め部
１６    弾性部材
２０    前方支持部材
２１、３１    当接部
２２、３２    屈曲部
２３、３３    支持部
２１ａ、２３ａ、３１ａ、３３ａ    貫通孔
２１ｂ、３１ｂ    切欠部
４０    第１のボルト
５０    ワッシャー
６０    ナット
７０    押圧部材
８０    第２のボルト
【図１】
0003190458.tif 000003
【図２】
0003190458.tif 000004
【図３】
0003190458.tif 000005
【図４】
0003190458.tif 000006
【図５】
0003190458.tif 000007
【手続補正書】
【提出日】平成26年2月28日(2014.2.28)
【手続補正１】
【補正対象書類名】実用新案登録請求の範囲
【補正対象項目名】全文
【補正方法】変更
【補正の内容】
【実用新案登録請求の範囲】
【請求項１】
断面略逆凹型形状で天面を形成する天面部と、該天面部の両端から垂下する一対の側面部と、該側面部の一端から延設され、天面部と平行かつ両端が設置する折板屋根の山部分の傾斜面と略平行となるように傾斜している当接部とからなり、該当接部を前記折板屋根の山部分に当接及び固定させ前記天面部に太陽光パネルを支持する支持部材を取り付ける太陽光パネルの取付金具であって、
前記支持部材は、一端に切欠溝を有し、
前記天面部には、前記支持部材に形成された切欠溝に嵌合して該支持部材の取付位置を決める位置決め部が形成されていることを特徴とする太陽光パネルの取付金具。
【請求項２】
前記位置決め部は、前記天面部から起き上がるように形成されていることを特徴とする請求項１記載の太陽光パネルの取付金具。
【請求項３】
前記当接部の前記折板屋根の山部分と当接する面には、弾性体が設けられていることを特徴とする請求項１記載の太陽光パネルの取付金具。
【手続補正２】
【補正対象書類名】明細書
【補正対象項目名】０００５
【補正方法】変更
【補正の内容】
【０００５】
上記課題を解決するため、本考案の太陽光パネルの取付金具は、断面略逆凹型形状で天面を形成する天面部と、該天面部の両端から垂下する一対の側面部と、該側面部の一端から延設され、天面部と平行かつ両端が設置する折板屋根の山部分の傾斜面と略平行となるように傾斜している当接部とからなり、該当接部を前記折板屋根の山部分に当接及び固定させ前記天面部に太陽光パネルを支持する支持部材を取り付ける太陽光パネルの取付金具であって、前記支持部材は、一端に切欠溝を有し、前記天面部には、前記支持部材に形成された切欠溝に嵌合して該支持部材の取付位置を決める位置決め部が形成されていることを特徴とする。
【手続補正３】
【補正対象書類名】明細書
【補正対象項目名】０００６
【補正方法】変更
【補正の内容】
【０００６】
また、本考案の太陽光パネルの取付金具は、前記位置決め部は、前記天面部から起き上がるように形成されていることを特徴とする。
【手続補正４】
【補正対象書類名】明細書
【補正対象項目名】００１０
【補正方法】変更
【補正の内容】
【００１０】
以下、図面を参照しつつ本考案に係る太陽光パネルの取付金具について説明する。
図１は、太陽光パネルの取付金具の構成を示した斜視図である。
図示するように、後述する太陽光パネル２の取付金具１０は、断面略逆凹型に形成され、天面を形成する天面部１１と、天面部１１の両端から垂下する一対の側面部１２と、側面部１２の一端から天面部１１と平行するように延設し、両端が後述する折板屋根１の山部の傾斜面と略平行になるように傾斜している一対の当接部１３とから構成されている。
【手続補正５】
【補正対象書類名】明細書
【補正対象項目名】００１７
【補正方法】変更
【補正の内容】
【００１７】
次に、図５（ｂ）に示すように、太陽光パネル２の後方となる位置に設置されている取付金具１０に後方支持部材３０を固定する。
図示するように、後方支持部材３０の当接部３１に設けられた貫通孔３１ａを取付金具１０の貫通孔１４から突出した第１のボルト４０に挿通する。この時に、当接部３１に設けられた切欠部３１ｂを取付金具１０の天面部１１に設けられた位置決め部１５に当接させることで当接位置を決める。そして、ワッシャー５０及びナット６０を挿通及び螺合させ締結することで、取付金具１０の天面部１１に後方支持部材３０を固定することができる。
【手続補正６】
【補正対象書類名】明細書
【補正対象項目名】００１８
【補正方法】変更
【補正の内容】
【００１８】
次に、取付金具１０に固定された前方支持部材２０と後方支持部材３０の支持部２３，３３に太陽光パネル２を載置する。このとき、前方支持部材２０の支持部２３に設けられている位置決め部２３ｂがあることで、太陽光パネル２の載置する位置を容易に決めることができる。
そして、第２のボルト７０が挿通された押圧部材８０を支持部２３，３３に太陽光パネル２を挟持するようにして設置し、第２のボルト７０を支持部２３，３３に設けられている貫通孔２３ａ，３３ａに挿通し、ワッシャー５０及びナット６０で締結することで太陽光パネル２の前方と後方とを押圧しつつ支持及び固定することができる（図５（ｃ））。
【手続補正７】
【補正対象書類名】図面
【補正対象項目名】図５
【補正方法】変更
【補正の内容】
【図５】
0003190458.tif 000008